(57)【要約】【課題】  収納用にデッキに形成した床面開口の蓋体を容易にして軽く開閉できるようにする。【解決手段】  デッキ１の床面開口２の下方に大引１１の上面を段差受座２２として，これに蓋体４を載置支持するとともに大引１１の床面開口２側の両側面にスライドレール３を傾斜配置し，これに蓋体４に設置したキャスター４４を案内する構造として，蓋体４を片持ちして手前に引寄せるように蓋体４をスライドして床面開口２を開成する一方，同じく蓋体４を片持ちして軽く押すように蓋体４をスライドして床面開口２を閉成するように，蓋体４の開閉を行う。蓋体４を回転する必要がないので，蓋体４の開閉が容易になし得るとともに屋外のデッキ１に用いても，蓋体４が風圧を受けて転倒するような危険も防止できる。【選択図】  図１
2008174916.tif 000002
【特許請求の範囲】
【請求項１】
前後一方を片持ちすることによって床面開口をスライド開閉自在とした蓋体を有する開閉装置であって，上記蓋体をその左右両側で支持するように床面と段差をなして上記床面開口に面内突出状に配置した段差受座と，該段差受座の床面開口の面内側に前後一方から前後他方に向けて下向きに傾斜配置した平行一対のスライドレールと，上記蓋体裏面に下向きに突設することによって該スライドレールを走行する前後他方位置一対の走行部材とを備えてなることを特徴とする床面開口スライド開閉装置。
【請求項２】
上記蓋体の前後一方片持ち側の表面に，該蓋体片持ち用単一又は複数の回転取手を設置してなることを特徴とする請求項１に記載の床面開口スライド開閉装置。
【請求項３】
上記蓋体の裏面に，クッション性の緩衝部材を設置してなることを特徴とする請求項１又は２に記載の床面開口スライド開閉装置。
【請求項４】
上記床面開口を，デッキに形成した収納用開口とし且つ上記段差受座を，該デッキの構造材を床面開口の面内に突出状として該デッキの構造材によって形成してなることを特徴とする請求項１，２又は３に記載の床面開口スライド開閉装置。
【請求項５】
上記床面開口を，デッキに形成した収納用開口とし且つ上記蓋体を該デッキ床面を刳り抜き状に切断したデッキ材によって形成してなることを特徴とする請求項１，２，３又は４に記載の床面開口スライド開閉装置。
【発明の詳細な説明】
【技術分野】
【０００１】
本発明は，例えば床下収納庫，床下点検口，床下に形成した収納口等の床面開口をスライド開閉し得るようにした床面開口スライド開閉装置に関する。
【背景技術】
【０００２】
例えば建物から屋外に突出し又は建物から独立して屋外に設置されるデッキには，床面開口を形成して，該床面開口からデッキ床下を物の収納に使用することがあり，この場合，床面開口を閉塞する蓋体は，該床面開口に嵌合載置するようにしたもの（特許文献１，２）とするか，蓋体の一端を，床面開口端に，例えばヒンジを介して軸支固定することによって，軸支した支軸を回転中心として，その回転開閉を行うものとされている。また床下収納庫として，例えばヒンジとアームを用いてそれぞれ軸支固定した蓋体を，該ヒンジと，アームとをスライダーによってスライド可能とすることによって，蓋体をスライド開閉するものが提案されている（特許文献３）。
【０００３】
【特許文献１】特開２００５−９７８７６号公報
【特許文献２】特開２００１−２６９７９号公報
【特許文献３】特開２００５−１３３２９３号公報
【発明の開示】
【発明が解決しようとする課題】
【０００４】
このように蓋体を嵌合配置するものは，特にデッキにあってはその蓋体の重量が嵩むために，蓋体の開閉作業が容易になし得ないし，ヒンジによって回転開閉するものは，同じく重量の嵩みによって開閉作業が容易ではなく，また屋外であることによる風圧の影響もあり，蓋体が転倒して危険や騒音を伴うこともある。一方スライダーを用いて蓋体をスライド開閉するものは，その開閉作業が容易であり，また蓋体の転倒による危険や騒音を解消できるが，この場合，スライド開閉するための構造が複雑であるために高コストになるとともに発錆や塵埃による作動不良を招く可能性が残るために，風雨に曝される屋外のデッキに使用するには不適当である。
【０００５】
本発明はかかる事情に鑑みてなされたもので，その解決課題とするところは，屋内外を問わずに使用でき，可及的に簡易な構造にして開閉作業が可及的に容易とした床面開口スライド開閉装置を提供するにある。
【課題を解決するための手段】
【０００６】
上記課題に沿って本発明は，床面開口に床面と段差をなす段差受座を配置し，該段差受座に蓋体を載置して床面開口に嵌合載置してその支持を行うようにし，該段差受座間の床面開口面内に平行一対にして前後方向に傾斜したスライドレールを配置する一方，蓋体の裏面に一対の走行部材を設置して，スライドレールに該走行部材を案内自在とすることによって，蓋体の前後一方を持ち上げ状に片持ちして，該蓋体を手前側の前後一方に引寄せて蓋体のスライド開成を行い，また該片持ちの状態で蓋体の自重に任せるようにして蓋体のスライド閉成を行うようにして，該蓋体の開閉を軽くスムーズになし得るようにしたものであって，即ち請求項１に記載の発明を，前後一方を片持ちすることによって床面開口をスライド開閉自在とした蓋体を有する開閉装置であって，上記蓋体をその左右両側で支持するように床面と段差をなして上記床面開口に面内突出状に配置した段差受座と，該段差受座の床面開口の面内側に前後一方から前後他方に向けて下向きに傾斜配置した平行一対のスライドレールと，上記蓋体裏面に下向きに突設することによって該スライドレールを走行する前後他方位置一対の走行部材とを備えてなることを特徴とする床面開口スライド開閉装置としたものである。
【０００７】
請求項２に記載の発明は，上記に加えて，開閉に際しての蓋体の片持ちを取手によって可及的容易になし得るようにするとともに閉成時に取手が床面に突出するのを防止し得る形態のものとするように，これを，上記蓋体の前後一方片持ち側の表面に，該蓋体片持ち用単一又は複数の回転取手を設置してなることを特徴とする請求項１に記載の床面開口スライド開閉装置としたものである。
【０００８】
請求項３に記載の発明は，同じく上記に加えて，蓋体の開成に際して，蓋体が床面に衝接するのを防止し得る形態のものとするように，これを，上記蓋体の裏面に，クッション性の緩衝部材を設置してなることを特徴とする請求項１又は２に記載の床面開口スライド開閉装置としたものである。
【０００９】
請求項４に記載の発明を，同じく上記に加えて，蓋体を，屋外に形成するデッキの床面開口を閉塞するようにするとともに該蓋体を支持する段差受座をデッキの構造材によって形成した形態のものとするように，これを，上記床面開口を，デッキに形成した収納用開口とし且つ上記段差受座を，該デッキの構造材を床面開口の面内に突出状として該デッキの構造材によって形成してなることを特徴とする請求項１，２又は３に記載の床面開口スライド開閉装置としたものである。
【００１０】
請求項５に記載の発明は，同じく上記に加えて，同様に蓋体を，屋外に形成するデッキの床面開口を閉塞するようにするとともに該蓋体をデッキ床面を刳り抜き状にしたデッキ材を用いた形態のものとするように，これを，上記床面開口を，デッキに形成した収納用開口とし且つ上記蓋体を該デッキ床面を刳り抜き状に切断したデッキ材によって形成してなることを特徴とする請求項１，２，３又は４に記載の床面開口スライド開閉装置としたものである。
【００１１】
本発明はこれらをそれぞれ発明の要旨として，上記課題解決の手段としたものである。
【発明の効果】
【００１２】
本発明は以上のとおりに構成したから，請求項１に記載の発明は，床面開口に床面と段差をなす段差受座を配置し，該段差受座に蓋体を載置して床面開口に嵌合載置してその支持を行うようにし，該段差受座間の床面開口面内に平行一対にして前後方向に傾斜したスライドレールを配置する一方，蓋体の裏面に一対の走行部材を設置して，スライドレールに該走行部材を案内自在とすることによって，蓋体の前後一方を持ち上げ状に片持ちして，該蓋体を手前側の前後一方に引寄せて蓋体のスライド開成を行い，また該片持ちの状態で蓋体の自重に任せるようにして蓋体のスライド閉成を行うようにして，該蓋体の開閉を軽くスムーズになし得るものとすることによって，屋内外を問わずに使用でき，可及的に簡易な構造にして開閉作業が可及的に容易とした床面開口スライド開閉装置を提供することができる。
【００１３】
請求項２に記載の発明は，上記に加えて，開閉に際しての蓋体の片持ちを取手によって可及的容易になし得るようにするとともに閉成時に取手が床面に突出するのを防止し得る形態のものとすることができる。
【００１４】
請求項３に記載の発明は，同じく上記に加えて，蓋体の開成に際して，蓋体が床面に衝接するのを防止し得る形態のものとすることができる。
【００１５】
請求項４に記載の発明を，同じく上記に加えて，蓋体を，屋外に形成するデッキの床面開口を閉塞するようにするとともに該蓋体を支持する段差受座をデッキの構造材によって形成した形態のものとすることができる。
【００１６】
請求項５に記載の発明は，同じく上記に加えて，同様に蓋体を，屋外に形成するデッキの床面開口を閉塞するようにするとともに該蓋体をデッキ床面を刳り抜き形成した形態のものとすることができる。
【発明を実施するための最良の形態】
【００１７】
以下図面の例に従って本発明を更に具体的に説明すれば，１はデッキ，２は該デッキ１の床面に形成した床面開口，４は，その前後一方を片持ちすることによって床面開口２をスライド開閉自在とした蓋体であり，該蓋体４は，これをその左右両側で支持するように床面と段差をなして上記床面開口２に面内突出状に配置した段差受座２２と，該段差受座２２の床面開口２の面内側に前後一方から前後他方に向けて下向きに傾斜配置した平行一対のスライドレール３と，上記蓋体４裏面に下向きに突設することによって該スライドレール３を走行する前後他方位置一対の走行部材４４とを備えたものとし，本例にあって，上記床面開口２を，デッキ１に形成した収納用開口とし且つ上記段差受座２２を，該デッキ１の構造材１１を床面開口２の面内に突出状として該デッキ１の構造材１１によって形成してあり，また上記蓋体４は，これを該デッキ１の床面を刳り抜き状に切断したデッキ材によって形成したものとしてある。
【００１８】
即ち本例のデッキ１は，建物のテラス窓の床面の高さに合せて屋外側に突出設置するように，例えばアルミ製の構造材１１を組んで，その上に，例えば木製乃至樹脂製，本例にあっては樹脂製のデッキ材を多数並列して形成したものとしてある。
【００１９】
床面開口２は，デッキ１の床面を部分的に刳り抜き切断することによって，蓋体４を形成した刳り抜き開口によって形成してあり，例えばその下位に設置した受箱又は受箱を設置することなくその下方空間を，雨水や湿気を避ける必要のないものの収納空間としてある。
【００２０】
本例にあって段差受座２２とした構造材１１は，例えば束柱１２で支持した大引としてあり，該大引は，その幅方向の，例えば１／２幅程度が刳り抜き切断後の床面開口２の面内に突出するように，上記刳り抜き切断を施すことによって，該大引の上面に蓋体４の両側を載置支持する上記段差受座２２として，これを面内突出状に形成したものとしてある。
【００２１】
該段差受座２２，即ちデッキ１の構造材１１をなす大引には，その床面開口２の面内側に一対のスライドレール３を，本例にあって，例えばスライドレール固定金具２３を介して，該段差受座２２の面内側に設置してあり，該スライドレール３の設置は，これを，上記蓋体４の前後一方から前後他方に向けて傾斜して平行に行ってある。
【００２２】
即ち，該スライドレール３は，蓋体４のスライド開閉方向に同一角度で平行に配置してあり，本例にあって該スライドレール３は，例えば床面開口２の前後長さ，即ち蓋体４のスライド開閉方向の長さに対して，その上端，即ち段差受座２２高さ位置から，上記走行部材４４の蓋体４裏面への突出寸法相当分を下方に下げた位置に至るように傾斜配置し，これによって走行部材４４がスライド開成方向先端又はその近傍に至った段階で，該蓋体４が床面開口２に嵌合して，その裏面両側が段差受部２２上に載置されるようにしてあり，本例にあって該スライドレールは，これを上記構造材１１の大引に対して５〜１５度，例えば１０度程度としてある。
【００２３】
該スライドレール３は，断面Ｕ字状，Ｌ字状又はＳ字状，本例にあっては断面Ｓ字状としてその底面に走行部材４４を載置して走行自在のアルミ製，鋼製又は樹脂製のものとしてあり，このとき該スライドレール３の傾斜配置は，これを段差受座２２，本例にあっては大引に設置するに用いる上記スライドレール固定金具２３に透設したスライドレール３の傾斜角度を設定する傾斜直線上に配置した複数のネジ受孔２５に，スライドレール３の同じく水平に配置した複数のネジ受孔３１からそれぞれネジを螺入することによって，該スライドレール３の傾斜角度を自ずと設定し得るようにしてあり，このため本例にあってスライドレール固定金具２３とスライドレール３のネジ受孔２５，３１は，これを工場加工によって透設して，スライドレール３の傾斜角度出しを可及的容易且つ確実になし得るようにしてある。
【００２４】
即ち，本例にあって該スライドレール固定金具２３は，上記スライドレール３より幾分短尺にして，段差受座２２をなす大引の対向面に対接して垂直基板２４を床面開口２の面内側に突出する複数の脚条，本例にあっては２条の脚条を該垂直基板２４から突出して断面コ字状とするとともにその下端に垂直基板２４が下向きに突出した断面ヲ字状をなす，同じくアルミ製，鋼製又は樹脂製のものとしてあり，その垂直基板２４にスライドレール３の傾斜角度を設定する上記ネジ受孔２５を，傾斜角度をなす直線上に，本例にあって長手方向に３ヶ所透設してあり，該スライドレール固定金具２３を上記大引に対して水平配置し，そのネジ受孔２５に，スライドレール３の，本例にあって同じく長手方向３ヶ所のネジ受孔３１を合せて，スライドレール３側からこれらネジ受孔３１，２５を介して上記大引に対してネジを螺入して，該スライドレール３の傾斜角度出しとその固定を行なったものとしてある。
【００２５】
一方，本例の蓋体４は，デッキ１形成前又はその後に該デッキ１を切断することによって，デッキ床面を刳り抜き状としたデッキ材を用いて形成してあり，その前後一方片持ち側の表面に，該蓋体４片持ち用単一又は複数の回転取手４５を設置し且つその裏面に上記走行部材４４とともにクッション性の緩衝部材４６を設置してあり，このとき該回転取手４５は，これを前後一方の片持ち側表面における中心から左右側部寄りの位置に蓋体４の片持ち側端部と平行に一対設置して，該蓋体４の片持ちを可及的容易になし得るようにしてある。また緩衝部材４６は，例えば裁頭円筒形のゴムクッションによるものとし，例えば上記回転取手４５位置に対応した蓋体４の裏面に，例えば下面側からのネジ止め等適宜の固定手段によって，これを固定してある。またこのとき上記走行部材４４は，ローラー，キャスター等の転動部材とすることによって，上記スライドレール３の走行を転動自在の走行とし，蓋体４のスムーズな開閉とその開閉作業を可及的に容易になし得るようにしてあり，本例にあって該走行部材４４は，これをキャスターによるものとしてある。
【００２６】
本例にあってキャスターとした走行部材４４は，蓋体４の裏面への設置を，該蓋体４の前後他方位置，即ちスライド開成方向先端又はその近傍の蓋体４面内位置に，該蓋体４の左右側端より内側にして上記平行一対のスライドレール３位置及びその間隔に合せた位置とするように，ネジ止め等適宜の固定手段により固定してあり，このとき該走行部材４４のキャスターは，その蓋体４裏面からの突出高さを，該キャスター４４がスライドレール３を転動して走行し，蓋体４が段差受座２２に載置して床面開口２に嵌合支持される位置における，段差受座２２からスライドレール３の走行部材４４走行面，即ちスライドレール３底面までの距離と略等しくなるように設定してあり，これによって，走行部材４４の突出高さが不足して，スライドレール３走行中に蓋体４が段差受座２２に載置してその走行が妨げられたり，走行部材４４の突出高さが過剰で，蓋体４が床面開口に嵌合しなくなったりするトラブルを防止してある。
【００２７】
本例の上記緩衝部材４６は，該走行部材４４の蓋体４裏面からの突出高さに応じて，該走行部材４４が，蓋体４を開成することによって，スライドレール３の前後一方位置，即ちスライドレール３の上端位置にあるときに，蓋体４が床面上で水平になるように，その突出高さを設定してある。
【００２８】
このようにスライドレール３と蓋体４を構成した本例の開閉装置にあっては，蓋体４を開成するには，上記蓋体４に没入している回転取手４５を，起こして，該回転取手４５を両手で手持ちし，回転取手４５を手前側に引張るように，蓋体４を引き寄せれば，キャスターの走行部材４４がスライドレール３を傾斜上昇方向，即ち上記前後一方側に転動して移動して，蓋体４の開成がなされるから，回転取手４５を離せば緩衝部材が床面に載置し，走行部材４４がスライドレール３上端位置にある状態で，該蓋体４は床面上に水平に載置されて，床面開口２を開成することができる。このとき更に蓋体４を引き寄せれば，走行部材４４が，床面開口２を画する前後一方側のデッキ材の段差を乗り越えて，床面開口２から外れて，該床面開口２から離れた位置に移動することにより，床面開口２を完全に開放することができる。走行部材４４を転動部材とすることにより，また特にキャスターとすることにより，該デッキ材段差の乗り越えは，これが段差に対接した状態で，幾分強く引き寄せれば，これを容易に軽く行うことができる。一方，床面開口２を閉成するときは，上記床面に水平に載置した状態の蓋体４を，同様に回転取手４５を起こして両手で手持ちし，必要に応じて蓋体を幾分押圧気味にすれば，走行部材４４がスライドレール３を，その傾斜降下方向，即ち上記前後他方側に走行して，蓋体４が段差受座２２に至って，床面開口２に嵌合して，段差受座２２の支持によって，床面開口２２を閉成することができる。上記と同様に，走行部材４４を転動部材とすることにより，また特にキャスターとすることにより，蓋体４はその自重によってスライドレール３を傾斜降下方向に転動して，その閉成を極めて容易に軽く行うことができる。
【００２９】
図中１３はデッキ材の横止め金具，２１は床面開口２を画するデッキ材の端部溝に嵌合して，上記走行部材４４によるデッキ材の段差を容易に乗り越えるように配置した走行部材４４の止決め部材，４１は蓋体４の裏面に配置した，例えばアングル材によるデッキ材連結金具，４２は蓋体４の左右両端部に配置したデッキ材の透孔を閉塞するキャップ，４３は蓋体４の前後端部に配置した閉成状態で蓋体４のガタツキを解消するアジャスターを示す。
【００３０】
図示した例は以上のとおりとしたが，段差受座をデッキの構造材と別に，独立部材としてその設置を行なうこと，スライドレールを，上記スライドレール固定金具を用いることなく，デッキの大引その他の構造材又は独立部材の段差受座に直付け固定すること，走行部材を，上記キャスターに代えて，ローラー等その他の転動部材とし，またスライドレールを滑動する滑動部材によるものとすること，上記開閉装置を，床下収納庫や床下点検口のユニット製品に適用すること等を含めて，本発明の実施に当って，床面開口，段差受座，スライドレール，蓋体，走行部材，必要に応じて用いる取手，緩衝部材，デッキの構造材，転動部材等の各具体的形状，構造，材質，これらの関係，これらに対する付加等は，上記発明の要旨に反しない限り，様々な形態のものとすることができる。
【図面の簡単な説明】
【００３１】
【図１】デッキ床面の部分斜視図である。
【図２】床面開口部分の蓋体閉成状態を示すデッキ材横断方向の縦断面図である。
【図３】床面開口部分の蓋体開成状態を示すデッキ材横断方向の縦断面図である。
【図４】床面開口部分のデッキ材平行方向の縦断面図である。
【図５】蓋体裏面の構造を示す斜視図である。
【図６】蓋体とキャスター及び緩衝部材の関係を示す部分拡大断面図である。
【図７】スライドレール固定金具とスライドレールの関係を示す斜視図である。
【図８】蓋体を外した床面開口の縦断面図である。
【符号の説明】
【００３２】
１    デッキ
１１  構造材
１２  束柱
１３  横止め金具
２    床面開口
２１  止決め部材
２２  段差受座
２３  スライドレール固定金具
２４  垂直基板
２５  ネジ受孔
３    スライドレール
３１  ネジ受孔
３２  ネジ
４    蓋体
４１  デッキ材連結金具
４２  キャップ
４３  アジャスター
４４  走行部材
４５  回転取手
４６  緩衝部材
【図１】
2008174916.tif 000003
【図２】
2008174916.tif 000004
【図３】
2008174916.tif 000005
【図４】
2008174916.tif 000006
【図５】
2008174916.tif 000007
【図６】
2008174916.tif 000008
【図７】
2008174916.tif 000009
【図８】
2008174916.tif 000010